(57)【特許請求の範囲】
【請求項１】
受信した放送コンテンツに対して情報を付加し，蓄積し，要求されたコンテンツを転送するコンテンツ仲介装置であって，
連続的に流れてくる放送コンテンツを，ある意味のある単位で分割して放送データ素片を作成し，その放送データ素片から放送データ素片を識別する識別情報を，複数種類の識別情報生成方法のうちの少なくともいずれかの種類の方法により検出または生成するコンテンツ抽出手段と，
前記識別情報生成方法の種類を示すタイプ別に，該タイプと，放送データ素片に関連する付加情報の検索先を特定する情報との対応情報を持ち，前記識別情報をもとに，その識別情報の検出または生成に用いた前記識別情報生成方法の種類を示すタイプに対応する検索先を特定し，その検索先からネットワークを介して前記放送データ素片に関連する付加情報を収集する関連情報収集手段と，
前記放送データ素片と前記収集した付加情報と前記識別情報とを合わせて蓄積し管理するコンテンツ蓄積手段と，
前記コンテンツ蓄積手段によって蓄積されているコンテンツを一覧表示し，指定されたコンテンツを前記付加情報と合わせて取り出すことのできるコンテンツ一覧表示・転送手段とを備える
ことを特徴とするコンテンツ仲介装置。
【請求項２】
請求項１記載のコンテンツ仲介装置において，
前記識別情報生成方法の種類を示すタイプには，放送チャンネルと放送時間を用いて識別情報を生成するタイプ，番組録画予約用コードと相対時間を用いて識別情報を生成するタイプ，または放送コンテンツに埋め込まれているコンテンツの識別子を識別情報とするタイプのうち，少なくともいずれか複数のタイプが含まれ，
前記コンテンツ抽出手段は，あらかじめ定められたタイプの優先順位に従って前記識別情報を検出または生成する
ことを特徴とするコンテンツ仲介装置。
【請求項３】
受信した放送コンテンツに対して情報を付加し，蓄積し，要求されたコンテンツを転送するコンテンツ仲介装置によるコンテンツ仲介処理方法であって，
前記コンテンツ仲介装置が，
連続的に流れてくる放送コンテンツを，ある意味のある単位で分割して放送データ素片を作成する過程と，
その放送データ素片から放送データ素片を識別する識別情報を，複数種類の識別情報生成方法のうちの少なくともいずれかの種類の方法により検出または生成する過程と，
前記識別情報生成方法の種類を示すタイプ別に，該タイプと，放送データ素片に関連する付加情報の検索先を特定する情報との対応情報を参照し，前記識別情報をもとに，その識別情報の検出または生成に用いた前記識別情報生成方法の種類を示すタイプに対応する検索先を特定し，その検索先からネットワークを介して前記放送データ素片に関連する付加情報を収集する過程と，
前記放送データ素片と前記収集した付加情報と前記識別情報とを合わせてコンテンツ蓄積手段に蓄積し管理する過程と，
前記コンテンツ蓄積手段に蓄積されているコンテンツを一覧表示し，指定されたコンテンツを前記付加情報と合わせて再生または記録のために転送する過程とを有する
ことを特徴とするコンテンツ仲介処理方法。
【請求項４】
請求項３記載のコンテンツ仲介処理方法において，
前記識別情報生成方法の種類を示すタイプとして，放送チャンネルと放送時間を用いて識別情報を生成するタイプ，番組録画予約用コードと相対時間を用いて識別情報を生成するタイプ，または放送コンテンツに埋め込まれているコンテンツの識別子を識別情報とするタイプのうち，少なくともいずれか複数のタイプを含み，
前記識別情報を検出または生成する過程では，あらかじめ定められたタイプの優先順位に従って前記識別情報を検出または生成する
ことを特徴とするコンテンツ仲介処理方法。
【発明の詳細な説明】
【０００１】
【発明の属する技術分野】
この発明は，受信した放送コンテンツに対して，そこから自分が選択した一部分の映像や音楽などのコンテンツにタイトルなどの情報を付加し，コンテンツ再生装置やコンテンツ記録媒体へ転送できるようにしたコンテンツ仲介装置およびその処理方法に関する。
【０００２】
特に本発明は，連続して放送される放送コンテンツについて，カメラの切り替えや音楽の切れ目など，シーンの変わり目を切り出すような比較的処理の軽い部分を，パーソナルコンピュータ（ＰＣ）などのクライアント装置で受け持ち，一方，シーンから付加情報を取り出すような処理時間の要する付加価値の高いサービス機能をネットワーク上の装置で行い，クライアント装置で取り出した放送データに対して，ネットワークを介して情報を取り出し，付加し，コンテンツ再生装置にデータを転送する放送コンテンツへの情報付加および蓄積の技術に関するものである。
【０００３】
【従来の技術】
従来，視聴者が放送局から一方的に放送される放送コンテンツに関連する情報を得られるようにするための方法として，放送コンテンツをデジタル化し，いわゆる映像データとそれに付随するデータとを併せて送信するデジタル放送の特徴を利用し，付随するデータ中にＵＲＬ（Uniform Resource Locator）などのインターネットへのリンクを埋め込み，映像コンテンツとのリンクを設定することによって視聴者に情報を提供する方法がある。
【０００４】
また，例えば特開平１０−１７７５３２号公報「テレビ番組と連携してインターネットホームページを自動的にテレビ画面上に表示させる方法および装置」に示されているように，個々のテレビ番組に関連したインターネットのＵＲＬ情報を組み込んだテレビ番組表データを外部から端末内に取り込むことにより，テレビ番組と連携してインターネットホームページをテレビ画面上に表示させる方法がある。
【０００５】
【発明が解決しようとする課題】
しかし，従来のデジタル放送で映像コンテンツとともに関連情報または関連情報へのリンクを送る方法は，あらかじめ放送局側で映像コンテンツに関連情報またはそれへのリンクを付加しておく必要があり，そのような付随データが用意されていないコンテンツについては，視聴者側でその関連情報を得ることはできなかった。
【０００６】
また，特開平１０−１７７５３２号公報に示されているような方法は，デジタルの放送コンテンツに対して付加価値を付ける方式であり，例えばアナログの放送コンテンツに対して情報を付加するものではない。
【０００７】
また，コンテンツ自体にメタ情報が組み込まれていたとしても，視聴者の端末に，コンテンツからメタ情報を抜き出すための機構がない場合には，それについての関連情報を得ることはできない。メタ情報とは，例えば映像コンテンツのテロップ情報（歌詞，ニュース）や，抜き出した音楽データから検索した音楽タイトル，ドラマのあるシーンのロケ地などのようなものである。
【０００８】
また，一方的に垂れ流される放送コンテンツの中に含まれている複合的な情報（映像，音声，ＢＧＭ等）の一部しか再生もしくはハンドリングできないクライアント端末においてその一部を視聴した後，再生できなかった情報や関連情報を，複合的な情報の再生機能を有する他の端末で視聴しようとしても，従来技術ではそれが困難であった。
【０００９】
アナログの放送コンテンツを蓄積できる装置として，ビデオテープレコーダ（ＶＴＲ）装置があるが，ＶＴＲ装置は，単に放送コンテンツを蓄積するだけであった。
【００１０】
本発明は上記問題点の解決を図り，アナログ放送の場合，またはデジタル放送であっても関連情報にアクセスするための付随データが付加されていない放送の場合，さらに付随データが付加されて放送されたデジタル放送であっても，受信装置の性能や機能による制限によって情報が欠落してしまったような場合などにも，ネットワーク上に置かれた複合情報を処理できるサーバ装置から関連情報や欠落した付加情報を取り出して管理し，必要なときにそれを読み出して再生することができるようにすることを目的とする。
【００１１】
【課題を解決するための手段】
上記課題を解決するために，本発明は，コンテンツ抽出手段によって放送コンテンツを放送データ素片に分割し，その中から複数の種類の識別情報生成方法の中のいずれかの方法を用いて抽出される識別情報をもとに，関連コンテンツ収集手段によってネットワーク上で稼動している関連コンテンツ抽出装置から付加情報を取り出し，分割したコンテンツと結合し，それを蓄積・管理することを主要な特徴とする。また，特に識別情報生成方法の種類を示すタイプ別に，該タイプと，放送データ素片に関連する付加情報の検索先を特定する情報との対応情報を参照し，前記識別情報をもとに，その識別情報の抽出に用いた前記識別情報生成方法の種類を示すタイプに対応する検索先を特定し，その検索先からネットワークを介して前記放送データ素片に関連する付加情報を収集することを特徴とする。
【００１２】
この発明によれば，クライアント側の装置において抽出・分解した放送データ素片に対して，ネットワーク側で検出した付加情報を併せてクライアント側に蓄積し，視聴したいコンテンツを選択して再生装置に転送することができる。
【００１３】
また，放送番組のように一方的に供給される複合コンテンツ（例えば映像と音声）のうち一部しか再生できない（例えば音声のみの再生）クライアント端末で受信したような場合にも，後で再生できなかった情報や関連情報を，他の端末で再生することができる。
【００１４】
本発明と従来技術との違いは，例えば以下のとおりである。従来技術では，パーソナル・コンピュータ（ＰＣ）などのある程度の二次記憶媒体を持ち，容易に放送コンテンツを取得できる環境に置かれている装置で，受信した放送コンテンツをあるドラマの１映像シーンや音楽番組のある一曲などの単位で分割したときに，そのコンテンツに対しての情報が，装置の性能や持っている機能による制限によって，欠落してしまうことがあったが，本発明では，インターネットなどのネットワーク上のサーバ上でメディア変換された情報を検索し，欠落した付加情報を補填し，蓄積することができる。したがって，随時，蓄積されているコンテンツを一覧表示し，必要とする分だけ，携帯性のある再生装置にダウンロードしたり，ＤＶＤなどの二次媒体に転送することが可能になる。
【００１５】
また，アナログの放送コンテンツを蓄積できるＶＴＲ装置は，時間によって放送コンテンツを分割することができるだけであるので，あるシーンごとに分割されたものに対して，付加情報をネットワークから取得し，着目するシーンと一緒に管理できるものではなかった。しかし，本発明では，アナログの放送コンテンツであっても，シーンごとに分割された放送データ素片に対してネットワークを介して取得した関連情報を付加し，一緒に管理することができる。
【００１６】
【発明の実施の形態】
図１に，本発明に係るコンテンツ仲介装置を用いたシステムの構成例を示す。コンテンツ仲介装置１は，放送コンテンツ受信部１０，コンテンツ抽出部１１，関連コンテンツ収集部１２，コンテンツ蓄積部１３，コンテンツ一覧表示・転送部１４を備える。これらの多くは，コンピュータとそのコンピュータが実行するソフトウェア・プログラムとによって実現される。このコンテンツ仲介装置１は，利用者のパーソナル・コンピュータ（ＰＣ）や，コンピュータを内蔵するテレビ受像機のようなものであってもよいし，またキオスク端末のようなものであってもよい。関連コンテンツ提供装置２は，インターネットなどのネットワーク３を介して関連コンテンツ収集部１２に接続される。図中の矢印は，データの流れを表している。
【００１７】
図２に，図１に示すシステムのフローを示す。無線，有線などを介して放送されている放送コンテンツを，放送コンテンツ受信部１０にて受信し，それをコンテンツ抽出部１１へ送る（Ｓ１）。
【００１８】
コンテンツ抽出部１１では，映像中のシーンの変わり目や音楽やアナウンスなどの音声の変わり目を認識し，切れ目のない放送コンテンツを，細かい映像（以降，放送データ素片と呼ぶ）に分割する（Ｓ２）。コンテンツ抽出部１１は，さらに分割した放送データ素片の中から，関連コンテンツを取り出すためのＩＤを生成する（Ｓ３）。ＩＤは，例えば，チャンネルと日時であっても構わないし，放送データ素片の中のコンテンツに埋め込まれているコンテンツを識別するようなコード（コンテンツＩＤ）であっても構わない。生成したＩＤをキーとして，関連コンテンツ収集部１２に，付加するコンテンツ（以降，関連コンテンツと呼ぶ）の検索を依頼する。
【００１９】
関連コンテンツ収集部１２では，キーとなっているＩＤのタイプをもとに，検索を依頼すべき関連コンテンツ提供装置２のＵＲＬを決定する（Ｓ４）。決定したＵＲＬの関連コンテンツ提供装置２に対して，キーとしてＩＤを送り，関連コンテンツ提供装置２では，そのＩＤをもとに関連コンテンツを検索する（Ｓ５）。関連コンテンツ収集部１２は，関連コンテンツ提供装置２から関連コンテンツを取得し，コンテンツ抽出部１１へ返却する。コンテンツ抽出部１１では，放送データ素片（分割したコンテンツ）と収集した関連コンテンツとＩＤとをセットにして，コンテンツ蓄積部１３へ格納する（Ｓ６）。
【００２０】
コンテンツ一覧表示・転送部１４は，利用者の要求により，蓄積されている放送データ素片（コンテンツ）を，日時やチャンネル，またはコンテンツに付随する属性などの指定された条件をもとに一覧表示し（Ｓ７），利用者が視聴のために指定したコンテンツを選択し，選択したコンテンツをコンテンツ再生装置４へ転送することにより，利用者に視聴させる（Ｓ８）。
【００２１】
図３は，コンテンツ抽出部１１における処理のフローを示したものである。コンテンツ抽出部１１は，データ分解部１１１にて，放送コンテンツ受信部１０から切れ目なく転送される放送コンテンツに対して，ある意味のある単位の放送データ素片に分割する。放送は，アナログ放送であってもデジタル放送であってもよく，アナログ放送の場合にはデジタル・データに変換した後に，データ分解部１１１による処理を行う。
【００２２】
放送データ素片への分割の仕方は，ＣＭやドラマのシーンチェンジなどのカメラ映像の切り替わりであってもいいし，歌やＢＧＭやアナウンサーなどの説明など，音声や音楽などの切れ目で分けても構わない。具体的には，例えば音楽番組の映像コンテンツの場合，切り出されるのは，ある歌手が歌っているシーンであり，その切り出し方法として，音楽が流れ出したときから終わるまでを検知する。そして，ＭＰＥＧなどの動画像符号化形式のデータに変換して放送データ素片とする。なお，映像のカット点抽出等の具体的な方法については周知の技術であるため，ここでのさらに詳しい説明は省略する。
【００２３】
切り出した放送データ素片は，その後の処理を平滑的に処理するために，一時的にデータキュー１１２に蓄えられる。データキュー１１２から取り出した放送データ素片について，ＩＤ検出部１１３にて関連コンテンツを取得するためのＩＤを生成する。ＩＤは，その放送データ素片と関連放送コンテンツを関係付けるものであればよい。例えばＩＤは，放送チャンネルと放送時間であってもよく，また電子番組表などを照会して得た番組録画予約用コード（Ｇコード）とその番組が始まってからの相対時間であってもよい。また，ＩＤは，放送コンテンツ自体に電子透かし技術などによって埋め込まれているコンテンツを識別するＩＤ（コンテンツＩＤ）であっても構わない。さらに，それらのＩＤが１つの放送データ素片に対して，複数個付けられても構わない。いずれにしても，ＩＤの生成方法とそのＩＤ体系（ＩＤのタイプ）に沿って関連コンテンツを提供する装置が用意されているとする。
【００２４】
以下に，ＩＤのタイプ別の生成例を示す。
（１）放送チャンネルと放送時間からＩＤを生成するとき，「チャンネル，放送日時（開始年月日  時分秒−終了年月日  時分秒）」とする。
（例：CH8,2001/01/01 10:30:40-2001/01/01 10:40:20 ）
（２）Ｇコードを用いてＩＤを生成するとき，「Ｇコード，相対時間（開始相対分秒−終了相対分秒）」とする。
（例：12345,20:30-40:20 ）
（３）コンテンツＩＤを用いるとき，放送コンテンツに埋め込まれているコンテンツに対してユニークに付与されているＩＤ（コンテンツＩＤ）を読み出し，それをＩＤとする。
【００２５】
上記（１）〜（３）のうちのどのタイプのＩＤを生成するかについては，例えば優先順位を付けて，まず，放送データ素片に対してコンテンツＩＤがあるかどうかを判定し，コンテンツＩＤがあれば，コンテンツＩＤを抽出してＩＤとし，コンテンツＩＤがない場合，電子番組表からその放送コンテンツに対するＧコードが判別できたかどうかを判定し，判別できたならＧコードを用いてＩＤを生成し，判別できない場合には，放送チャンネルと放送時間を用いてＩＤを生成するという順番で行うようにしてもよい。
【００２６】
以上のように，ＩＤ検出部１１３で生成されたＩＤをキーとして，情報検索依頼部１１４では，関連コンテンツ収集部１２に関連コンテンツの検索を依頼する。その結果返却された関連コンテンツと，ＩＤおよび放送データ素片を，データ・ＩＤ関連設定部１１５において，コンテンツ蓄積部１３に格納する処理を行う。
【００２７】
一連の処理が終わった後，再度，データキュー１１２から次の放送データ素片の取り出しを行い，同じ手順の処理を繰り返す。データキュー１１２に放送データ素片がない場合には，追加されるまで待つ。
【００２８】
図４は，関連コンテンツ収集部１２における処理のフローを示す。関連コンテンツ収集部１２では，コンテンツ抽出部１１からキーとして渡されたＩＤを，検索対象決定部１２１において，そのＩＤのタイプを識別し，ＩＤ・検索先対応テーブル１２２を参照して関連コンテンツを提供する装置を決定する。図４のＩＤ・検索先対応テーブル１２２では，ＩＤタイプ別に関連コンテンツ提供装置２のアドレスをＵＲＬとして表しているが，アクセス先を一意に特定できればよく，電話番号でもＩＰアドレスでも構わない。
【００２９】
検索依頼・結果受信部１２３では，検索対象決定部１２１が決定したＵＲＬに対して，検索処理を依頼し，その引数としてＩＤを渡す。その結果，関連コンテンツ提供装置２Ａ，２Ｂ等から得られた関連コンテンツを，コンテンツ抽出部１１へ返却する。
【００３０】
図５と図６は，関連コンテンツ提供装置２を説明する図である。図５は，装置自体が放送コンテンツから付加情報を抜き出す機能を持ったタイプ（タイプＡと呼ぶ）の関連コンテンツ提供装置２Ａを示す。タイプＡの関連コンテンツ提供装置２Ａでは，情報抜き出し部２１において，アナログ（またはデジタル）の放送コンテンツからコンテンツ抽出部１１と同様の放送データ素片の切り出しを処理を行い，それぞれの放送データ素片に対して，文字情報の切り出しを行う。文字情報としては，同時に放映されている文字放送データや映像中のテロップなどがある。テロップについては，データとして放送されるものではないために，映像中の文字列を文字認識技術を用いて抜き出すなどの処理を施す。なお，ここでのテロップの抽出や文字認識技術としては，周知の技術を用いることができる。
【００３１】
次に，抜き出した文字情報について，関連コンテンツ収集部１２からの検索要求に応えられるように，インデクシング作成部２２において，関連コンテンツとして，ジャンルやタイトルなどのデータの構造化を行い，ＩＤを検索のキーとして，関連コンテンツ蓄積部２３に格納する。蓄積するデータの構造化に関しては，ジャンルやタイトルその他の属性を，例えばＸＭＬ（Extensible Markup Language）等の構造化記述言語を用いて記述することによって行う。ＸＭＬによる記述は，よく知られているように，データの構造を定義する部分とその定義に沿って記述されるデータとから構成される。データがどのような属性に属しているかは，< > ，</ >のタグで区切られ，これらが入れ子関係を取ることができるので，構造の定義が可能になっている。
【００３２】
図６は，コンテンツＩＤを利用した関連コンテンツ提供装置２Ｂを示している。この関連コンテンツ提供装置２Ｂは，コンテンツＩＤを利用して，関連コンテンツ収集部１２からの検索依頼を，実際に関連コンテンツを持っているコンテンツＩＤセンタ５に中継するタイプ（タイプＢと呼ぶ）のものである。コンテンツＩＤセンタ５は，あらかじめコンテンツＩＤごとにコンテンツ情報が格納されているコンテンツＩＤデータベース５１を持っている。
【００３３】
関連コンテンツ収集部１２が，放送コンテンツを構成している映像や音声・音楽等の要素コンテンツに対して，埋め込まれているコンテンツを一意に識別しているコンテンツＩＤを用いて，関連コンテンツ提供装置２Ｂに検索依頼を行うと，関連コンテンツ提供装置２Ｂは，以下の処理を行う。
【００３４】
検索部２５では，渡されたＩＤをもとに，検索すべきコンテンツＩＤセンタ５を特定し，ＩＤに付随するコンテンツ情報を取得する。一つの放送データ素片に対して，複数のコンテンツＩＤが指定されていることもあるので，引き渡されたＩＤの個数分，コンテンツ情報取得処理を繰り返す。その結果得られたコンテンツ情報を，編集部２６にて関連コンテンツとして編集し，関連コンテンツ収集部１２へ返却する。ここで，編集する方法に関しても，上記ＸＭＬなどの構造化記述言語を用いて管理する方法を用いる。
【００３５】
図７は，コンテンツ蓄積部１３が持つ機能を示している。蓄積部１３１では，検索のキーとなるＩＤと，データである放送データ素片，関連コンテンツをデータベース１３３に蓄積する。取出し部１３２では，キーとしてＩＤを指定する検索の機能（検索Ａ）と，関連コンテンツの中の条件を指定する検索の機能（検索Ｂ）を持つ。
【００３６】
検索Ａでは，キーとしてＩＤが指定されると，該当する放送データ素片と関連コンテンツとをデータベース１３３から取り出して返却する。検索Ｂでは，キーとして条件が指定されると，データベース１３３の関連コンテンツから抽出したタイトルと概略データを返却データとして返却する。
【００３７】
上記検索Ａに関しては，ＩＤの部分は完全一致とする。また，検索Ｂに関しては，関連コンテンツにどのような属性が含まれてるかに依存しているが，例えば属性としてタイトルと歌詞が含まれている場合，指定される条件は，タイトルが「赤いスイートピー」であるとか，歌詞に「スイートピー」が含まれているとかいった条件になる。
【００３８】
図８は，コンテンツ一覧表示・転送部１４における処理のフローを示す。コンテンツ一覧表示・転送部１４に対して，利用者が指定した日付やチャンネル，ジャンルなどの条件に応じて，一覧作成部１４１では，コンテンツ蓄積部１３に対して，検索Ｂの条件指定による検索を行い，放送データ素片の一覧をディスプレイなどのユーザインタフェース６を用いて表示する。一覧表示するときには，関連コンテンツから抜き出したタイトル以外にも，映像のスナップショット画像なども併せて表示する。利用者は，１個または複数個のコンテンツを指定して，コンテンツ再生装置４への転送を依頼する。その指示を受けて，転送部１４２では，コンテンツ蓄積部１３に対して，検索ＡのＩＤによる検索を行い，放送データ素片や関連コンテンツなどのデータをコンテンツ再生装置４へ転送する。
【００３９】
コンテンツ再生装置４は，ディスプレイ，スピーカ，ヘッドホンその他，コンテンツを再生することができるものであればよく，また，例えば携帯電話のようなものであってもよい。コンテンツ再生装置４に転送するのではなく，書き換え可能な磁気ディスク，光ディスクまたは光磁気ディスクのような可搬型の外部記憶媒体に書き出すようにすることもできる。
【００４０】
【発明の効果】
以上説明したように，本発明によれば，クライアント側の装置において，受信した放送から抽出・分解した放送データ素片に対して，それに関連する付加情報をネットワークを介して自動収集し，それらを関連付けて蓄積しておくことができる。これにより利用者は，随時視聴したいコンテンツを選択して再生装置に転送させ，視聴することができるようになる。
【００４１】
特に，アナログ放送の放送コンテンツに対しても，関連情報を収集して蓄積し，それを必要なときに必要な再生装置で再生することが可能になる。また，デジタル放送であってもその付加情報が放送データ中に含まれない場合，もしくはクライアント端末に付加情報を抜き出すことができる機能が備わっていない場合にも，放送データ素片に対して関連情報の付加および蓄積が可能になる。
【図面の簡単な説明】
【図１】本発明を用いたシステムの構成例を示す図である。
【図２】図１のシステムのフローを示す図である。
【図３】コンテンツ描出部における処理のフローを示す図である。
【図４】関連コンテンツ収集部における処理のフローを示す図である。
【図５】関連コンテンツ提供装置（タイプＡ）を説明する図である。
【図６】関連コンテンツ提供装置（タイプＢ）を説明する図である。
【図７】コンテンツ蓄積部が持つ機能を示す図である。
【図８】コンテンツ一覧表示・転送部における処理のフローを示す図である。
【符号の説明】
１    コンテンツ仲介装置
２    関連コンテンツ提供装置
３    ネットワーク
４    コンテンツ再生装置
１０  放送コンテンツ受信部
１１  コンテンツ抽出部
１２  関連コンテンツ収集部
１３  コンテンツ蓄積部
１４  コンテンツ一覧表示・転送部
【図１】
0003766280.tif 000002
【図２】
0003766280.tif 000003
【図３】
0003766280.tif 000004
【図４】
0003766280.tif 000005
【図５】
0003766280.tif 000006
【図６】
0003766280.tif 000007
【図７】
0003766280.tif 000008
【図８】
0003766280.tif 000009